【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
カニューレ挿入デバイスであって、
カニューレを備える第１のキャリッジ、
チャネルを備えるヨーク、
前記第１のキャリッジに接続されたリンク仕掛であって、前記チャネル内に延びているリンク仕掛、
前記リンク仕掛に接続された一端を有するスプリング、および、
伸張している前記スプリング、前記第１のキャリッジ、および、作動前の前記リンク仕掛をロックするためのロックデバイス
を備え、
前記ロックデバイスが解放されたとたん、前記リンク仕掛を前記チャネル内で移動させ、および、前記第１のキャリッジを注入部位に向けてスライドさせるように、前記スプリングの前記伸張が解放される、カニューレ挿入デバイス。
【請求項２】
前記カニューレはカテーテルを備える、請求項１に記載のカニューレ挿入デバイス。
【請求項３】
前記カニューレは導入針を備える、請求項１に記載のカニューレ挿入デバイス。
【請求項４】
前記リンク仕掛は、回転可能に前記第１のキャリッジに接続されている、請求項１に記載のカニューレ挿入デバイス。
【請求項５】
前記第１のキャリッジは、注入部位に垂直な方向にスライド可能である、請求項１に記載のカニューレ挿入デバイス。
【請求項６】
前記第１のキャリッジの下方に位置する第２のキャリッジをさらに含み、前記第２のキャリッジはカテーテルを備える、請求項１に記載のカニューレ挿入デバイス。
【請求項７】
レールデバイスをさらに含み、その上で、前記第１のキャリッジと前記第２のキャリッジの少なくとも一方がスライド可能である、請求項６に記載のカニューレ挿入デバイス。
【請求項８】
前記レールデバイスは曲げ弾性ロッキングタブを備え、該曲げ弾性ロッキングタブは、前記第２のキャリッジが前記曲げ弾性ロッキングタブの下方をスライドし、および、前記第２のキャリッジがスライドして前記曲げ弾性ロッキングタブを通過した後の形状に戻るときに、前記第２のキャリッジが前記曲げ弾性ロッキングタブを越えてスライドすることを防止する方法を与える、請求項７に記載のカニューレ挿入デバイス。
【請求項９】
前記ロックデバイスが解放されるときに、前記スプリングによって解放された前記伸張が、前記第１のキャリッジおよび前記第２のキャリッジにより、前記レールデバイスに沿って注入部位の方向に、前記カニューレおよびカテーテルを前記注入部位内へ挿入するようにスライドさせ、および、前記第２のキャリッジを退避させることなく前記第１のキャリッジを退避させる、請求項７に記載のカニューレ挿入デバイス。
【請求項１０】
前記カニューレは前記注入部位に実質的に垂直に挿入されている、請求項１に記載のカニューレ挿入デバイス。
【請求項１１】
前記カニューレは前記注入部位から鋭角に挿入されている、請求項１に記載のカニューレ挿入デバイス。
【請求項１２】
パッチポンプであって、
リザーバ、
ポンプ、および、
導入針およびカテーテルを注入部位内に挿入するため、および、前記カテーテルが前記注入部位内に挿入されたままである間に前記導入針を退避させるためにトーションスプリングによって動力をされるカニューレ挿入デバイス
を備え、
前記リザーバからの注入液は、前記カテーテルが前記注入部位内に挿入された後で、前記ポンプによって圧送される、パッチポンプ。
【請求項１３】
前記導入針および前記カテーテルは前記注入部位に実質的に垂直に挿入される、請求項１２に記載のパッチポンプ。
【請求項１４】
前記カテーテルの前記注入部位内への挿入を作動させるためのスイッチをさらに備えている、請求項１２に記載のパッチポンプ。
【請求項１５】
前記リザーバから前記ポンプによって圧送される注入液の量を計量するための計量システムをさらに備えている、請求項１２に記載のパッチポンプ。
【請求項１６】
注入液の選択された用量の、前記注入部位内への送達を制御するためのコントローラをさらに備えている、請求項１５に記載のパッチポンプ。
【請求項１７】
前記ポンプ、計量システム、および、コントローラの少なくとも一つに電力を供給するための電源をさらに備えている、請求項１６に記載のパッチポンプ。
【請求項１８】
前記カニューレ挿入デバイス、リザーバ、ポンプ、計量システム、および、コントローラを収容するためのカバーをさらに備えている、請求項１６に記載のパッチポンプ。
【請求項１９】
出口開口をさらに備えており、それを通じて、前記導入針および前記カテーテルが前記注入部位に挿入され、および、それを通じて、前記導入針が、前記注入部位内に前記カテーテルが挿入された後で退避される、請求項１２に記載のパッチポンプ。
【請求項２０】
カニューレ挿入デバイスを動作させるための方法であって、
カニューレを備えた第１のキャリッジ、チャネルを備えたヨーク、前記第１のキャリッジに接続されたリンク仕掛であって前記チャネル内に延びているリンク仕掛、前記リンク仕掛に接続された一端を有するスプリング、および、ロックデバイスを準備するステップ、
前記スプリングを伸張するステップ、
該伸張したスプリングの他端を前記ロックデバイスの一部の上に載置するステップ、
前記スプリングが伸張した後で前記ヨークおよび前記リンク仕掛を前記ロックデバイスによってロックさせるステップ、および、
前記ロックデバイスを解放するステップであって、前記スプリングの該伸張を解放し、および、前記リンク仕掛が前記チャネル内を移動できおよび前記第１のキャリッジを注入部位に向けて移動させることができるようにするステップ
を有する方法。
【請求項２１】
レールデバイスであって、その上で、前記第１のキャリッジがスライド可能であるレールデバイスを準備するステップをさらに有する、請求項２０に記載の方法。
【請求項２２】
前記レールデバイス上をスライド可能な第２のキャリッジを準備するステップ、および、前記第２のキャリッジを前記第１のキャリッジの下方に位置させるステップをさらに有する、請求項２１に記載の方法。
【請求項２３】
前記第２のキャリッジがカテーテルを備えており、および、前記第１のキャリッジが導入針を備えている、請求項２２に記載の方法。
【請求項２４】
前記導入針および前記カテーテルを前記注入部位へ挿入するように、前記第１のキャリッジおよび前記第２のキャリッジを前記ロックデバイス上でスライドさせるステップ、
前記第１のキャリッジおよび前記第２のキャリッジを前記注入部位から退避させるステップ、および、
前記注入部位内に前記カテーテルが挿入された後、前記第２のキャリッジが退避することを防止するステップ
わさらに有する、請求項２３に記載の方法。
【請求項２５】
前記導入針および前記カテーテルは前記注入部位に実質的に垂直に挿入される、請求項２３に記載の方法。
【請求項２６】
前記導入針は中空であり、および、注入液を前記カテーテルに供給する、請求項２３に記載の方法。
【手続補正２】
【補正対象書類名】明細書
【補正対象項目名】００２０
【補正方法】変更
【補正の内容】
【００２０】
添付の図面と併せて読めば、本発明の種々の目的、利点および例示的な実施形態の新規な特徴を、以下の詳細な説明からより容易に理解できよう。
【図１】薄型のカニューレ挿入デバイスを組み込んだパッチポンプの斜視図である。
【図２】図１のパッチポンプの様々な構成要素の分解図である。
【図３】カバーなしで表した、可撓性リザーバを有するパッチポンプのための代替設計の斜視図である。
【図４】図３のパッチポンプの流体アーキテクチャおよび計量サブシステムの図である。
【図５】カニューレ挿入デバイスの斜視図である。
【図６】図５のカニューレ挿入デバイスのいくつかの構成要素の斜視図である。
【図７】図５の挿入装置を、針キャリッジを最上位置に有し、トーションスプリングの開口端がノッチに当接し、および、リンク仕掛の一部がヨークのチャネル内に位置した状態で表した斜視図である。
【図８】図５の挿入装置を、トーションスプリングが解放されるより前の、最上位置における針キャリッジおよびカテーテルキャリッジと共に表した斜視図である。
【図９】図８の挿入装置を、トーションスプリングの伸張が解放された後、針キャリッジがカテーテルキャリッジと一緒に下方へ進んでいる状態で表した斜視図である。
【図１０】図９の挿入装置を、明瞭さのために針キャリッジなしで表した斜視図である。
【図１１】図１０の挿入装置を、針キャリッジおよびカテーテルキャリッジがベースのフロアに接触し、導入針を注入部位内に完全に伸長している状態で表した斜視図である。
【図１２】図１１の挿入装置を、カテーテルキャリッジがベースのフロアでロックされたままの間に、導入針を注入部位から退避させるように、針キャリッジがその最上位置に復帰している状態で表した斜視図である。
【図１２Ａ】図１２のカテーテルキャリッジ、導入針、および、セプタムの断面図である。
【図１３】図５の挿入装置のいくつかの構成要素のサブアセンブリの斜視図であり、ベース、ベースに直立して接続されたレール、および、ヨークを表している。
【図１４】図１３のサブアセンブリを、カテーテルキャリッジがレール内に位置する状態で表した斜視図である。
【図１５】図５の挿入装置のリンク仕掛およびトーションスプリングの斜視図である。
【図１６】図１４の装置を、リンク仕掛のフランジ部がヨークの開口部内に挿入されている状態で表した正面図である。
【図１７】図１６の挿入装置を、リンク仕掛のフランジ部がチャネルに沿ってその最上位置へ移動した状態で表した斜視図である。
【図１８】図１７の挿入装置を、針キャリッジがリンク仕掛に接続され、および、カテーテルキャリッジの上方に位置した状態で表した斜視図である。
【図１９】図１８の挿入装置を、針キャリッジおよびカテーテルキャリッジがレール上でそれらの最上位置にあり、および、ピンがリンク仕掛をヨークにロックしている状態で表した斜視図である。
【図１９Ａ】図１９の挿入装置を、針９０がヨークおよびリンク仕掛内に挿入された状態で表した部分切欠図である。
【図２０】図１９の挿入装置の斜視図であり、トーションスプリングが回転されて伸張するようになる様子を表している。
【図２１】図１９の挿入装置を、トーションスプリングの開放端がベース上のノッチに当接しており、および、挿入装置が作動のために位置している状態で表した斜視図である。